(57)【要約】【課題】通信ネットワーク等への負荷を極力回避するとともに、クライアント端末との接続状況を把握してマーケッティング情報にも活用可能なクライアント端末に最新の更新情報を通知する端末用プログラム及び更新情報通知システムを提供する。【解決手段】ＷＷＷサーバ２０のプロモーション用画像等の表示コンテンツファイル２１をクライアント端末１０にダウンロードし、アプリケーションウィンドウを立ち上げて繰り返し表示する。クライアント端末１０からは指定された条件に従って更新情報を取得したい特定ファイル２２に最新情報を問い合わせ、ファイルの作成時刻等の受信した最新情報を直近データ記憶部１２の直近情報と比較する。最新情報が直近情報から変化している場合は、特定ファイルは更新されたとみなして更新通知ファイル１３を表示する。変化していない場合は更新されていないとみなして、表示コンテンツファイル１１が繰り返し表示される。【選択図】      図３
2004192053.tif 000002
【特許請求の範囲】
【請求項１】
更新情報通知のためのクライアント端末用プログラムであって、コンピュータに、
通信ネットワークを通じて接続された格納装置に格納された特定ファイルを設定するステップと、
通信ネットワークを通じて前記格納装置より取得した前記特定ファイルに含まれる参照情報を格納するステップと、
前記参照情報を格納するステップの後に、通信ネットワークを通じて前記格納装置より前記特定ファイルに含まれる新たな参照情報を取得する条件を設定するステップと、
前記条件に従って通信ネットワークを通じて前記格納装置より前記新たな参照情報を取得するステップと、
前記新たな参照情報を前記参照情報と対比するステップと、
前記新たな参照情報が前記参照情報と異なる情報を含む場合は前記特定ファイルが更新されたことを通知する通知情報を表示するステップと、
を実行させることを特徴とするプログラム。
【請求項２】
コンピュータに、
通信ネットワークを通じて第二の格納装置から取得した表示用コンテンツデータを格納するステップと、
前記表示用コンテンツファイルを表示するステップと、
を実行させることを特徴とする請求項１記載のプログラム。
【請求項３】
コンピュータに、
通信ネットワークを通じて第二の格納装置から表示用コンテンツデータを受信するステップと、
前記表示用コンテンツデータを表示するステップと、
を実行させることを特徴とする請求項１記載のプログラム。
【請求項４】
前記コンテンツデータの表示は継続して行われることを特徴とする請求項２又は３記載のプログラム。
【請求項５】
前記参照情報及び前記新たな参照情報は、前記特定ファイルの作成時刻であることを特徴とする請求項１乃至４いずれかに記載のプログラム。
【請求項６】
前記参照情報及び前記新たな参照情報は、前記特定ファイルのファイルサイズであることを特徴とする請求項１乃至４いずれかに記載のプログラム。
【請求項７】
前記参照情報及び前記新たな参照情報は、前記特定ファイルのソースコードの少なくとも一部を含んでおり、前記新たな参照情報を前記端末装置に格納された参照情報と対比するステップにおいては前記ソースコードに含まれるキーワードを対比することを特徴とする請求項１乃至４いずれかに記載のプログラム。
【請求項８】
通信ネットワークを通じて請求項１記載のプログラムをクライアント端末に送信する手段と、
前記クライアント端末において指定された特定ファイルを格納する手段と、
通信ネットワークを通じて前記特定ファイルが更新されたことを通知する通知情報を表示するためのプログラムを前記クライアント端末に送信する手段と、
を備えることを特徴とする更新情報通知システム。
【請求項９】
通信ネットワークを通じて請求項２乃至４いずれかに記載のプログラムをクライアント端末に送信する手段と、
前記クライアント端末において指定された特定ファイルを格納する手段と、
通信ネットワークを通じて前記特定ファイルが更新されたことを通知する通知情報を表示するためのプログラムを前記クライアント端末に送信する手段と、
通信ネットワークを通じて前記クライアント端末に表示する表示用コンテンツデータを前記クライアント端末に送信する手段と、
を備えることを特徴とする更新情報通知システム。
【請求項１０】
前記クライアント端末から前記特定ファイルへのアクセス情報を記録する手段を備えることを特徴とする請求項８又は９記載の更新情報通知システム。
【発明の詳細な説明】
【０００１】
【発明の属する技術分野】
本発明は、通信ネットワークを通じてクライアント端末に最新の更新情報を通知するためのクライアント端末用プログラム及びクライアント端末への更新情報通知システムに関するものである。
【０００２】
【従来の技術】
インターネットが広く情報流通手段として利用されることとなり、企業等は広告宣伝や顧客の囲い込みのために、ＷＷＷ（Ｗｏｒｌｄ  Ｗｉｄｅ  Ｗｅｂ）を用いてＷｅｂページから情報提供を行うことが一般的となっている。Ｗｅｂページを用いた情報提供の効果を高めるためには、最新情報をなるべく早く利用者に認知させるため、Ｗｅｂページに掲載された情報が更新されたことをいち早くクライアント端末に送信することが望ましい。また、利用者の側からも、興味のある情報を掲載したＷｅｂページにおいて情報が更新された際には、更新情報をなるべく早く取得したいというニーズも存在する。
【０００３】
Ｗｅｂページの更新情報を取得するためには、クライアント端末側において、Ｗｅｂページの閲覧用ソフトウェアであるブラウザに一般的に備えられている情報更新機能を利用し、利用者が更新情報を取得したい場合に情報更新指示を起動し、Ｗｅｂページを格納したＷｅｂサーバから最新のデータを取得することが一般的である。しかしながらこの方法は、利用者は情報が更新されたタイミングを即時に了知することができず、またＷｅｂページの情報が更新されていない場合にも前回と同一の情報を取得しなければならないという問題を有している。
【０００４】
このような問題に対応して、専用のソフトウェア、又はブラウザの機能として、一定の間隔をおいて指定されたＷｅｂサーバにアクセスし、定期的に情報を取得してクライアント端末上の表示情報を更新する「プッシュ型」と呼ばれる技術が利用されるようになっている。
【０００５】
また、クライアント端末側の技術によらずに、情報を提供する側のＷｅｂサーバや更新情報通知のための専用サーバにおいて、Ｗｅｂページの情報が更新されると指定されたクライアント端末に対して更新情報を電子メール等で送信する発明も開示されている（例えば特許文献１、特許文献２参照）。
【０００６】
【特許文献１】特開平１０−２６０８８６号公報
【特許文献２】特開２００２−７３４５５号公報
【０００７】
【発明が解決しようとする課題】
上記のプッシュ型技術による更新方法は、利用者が情報更新の指示を起動しなくても自動的に所定の情報を取得することができるため、更新指示を忘れることによる情報の取り忘れを防止する点や、自動更新を頻繁に設定することによりリアルタイムに近い状態で情報を了知できる点において優れている。しかしながら、Ｗｅｂページの情報が更新されていない場合にも前回と同一の情報を取得しなければならないために、不要な情報の送受信を伴って、通信ネットワークやクライアント端末の処理に余分な負荷をかけてしまうという問題が残されている。
【０００８】
一方、上記の特許文献１、特許文献２記載の発明は、Ｗｅｂページの情報が更新された場合にのみクライアント端末に通知を行うため、余分な情報の送信を回避することができるという点において優れており、利用者から見た場合の利便性は高い。
【０００９】
しかしながら、情報を提供する側から見ると、Ｗｅｂサーバ側ではクライアント端末から更新情報取得のためのアクセスを受け付けることがないため、クライアント端末が当該Ｗｅｂページに継続的にアクセスしているか否かを確認することができず、当該アクセス情報を収集してマーケッティング等に活用することができないという課題を有している。近時は、Ｗｅｂサーバへのアクセス記録であるログ情報を顧客・市場分析のための基礎データとして利用することが一般的となっているが、利用者の状況から興味や嗜好をより精緻に分析するためには、クライアント端末からＷｅｂページへのアクセス回数だけでなく、クライアント端末が当該Ｗｅｂページとの接続を継続しているか否かの状況を調査できることが好ましい。
【００１０】
また、上記のような方法で利用者がＷｅｂページとの接続を継続していることが確認できた場合、特定のＷｅｂページの更新情報を欲しているということは、当該Ｗｅｂページに関連する分野に興味が深いということに他ならないから、該当するクライアント端末が当該Ｗｅｂページの情報を定期的に更新している間は、関連する情報をクライアント端末上に継続的に表示できると、マーケッティング効果の観点からはより好ましい。
【００１１】
本発明は、このような課題に対応して、単にクライアント端末にＷｅｂページの更新情報を通知するだけでなく、不要な情報の送受信による通信ネットワーク等への負荷を極力回避するとともに、クライアント端末との接続状況を把握してマーケッティング情報としても活用することが可能な、通信ネットワークを通じてクライアント端末に最新の更新情報を通知するためのクライアント端末用プログラム及びクライアント端末への更新情報通知システムを提供することを目的とするものである。
【００１２】
【課題を解決するための手段】
上記の課題を解決するための第一の発明は、更新情報通知のためのクライアント端末用プログラムであって、コンピュータに、通信ネットワークを通じて接続された格納装置に格納された特定ファイルを設定するステップと、通信ネットワークを通じて前記格納装置より取得した前記特定ファイルに含まれる参照情報を格納するステップと、前記参照情報を格納するステップの後に、通信ネットワークを通じて前記格納装置より前記特定ファイルに含まれる新たな参照情報を取得する条件を設定するステップと、前記条件に従って通信ネットワークを通じて前記格納装置より前記新たな参照情報を取得するステップと、前記新たな参照情報を前記参照情報と対比するステップと、前記新たな参照情報が前記参照情報と異なる情報を含む場合は前記特定ファイルが更新されたことを通知する通知情報を表示するステップと、を実行させることを特徴とするプログラムである。
【００１３】
この発明によると、クライアント端末は継続的に参照したいＷｅｂページの特定ファイル全てのデータをＷＷＷサーバ等の格納装置から定期的に取得しなくても、特定ファイルの更新の有無を確認するために必要最小限の参照情報のみを取得して直前の情報との変化を参照することにより、更新が確認された場合には利用者に対してその旨を通知することができる。尚、特定ファイルの所在は、ＷｅｂページであればＵＲＬにより特定することができる。
【００１４】
またこの発明においては、例えば１０分や１時間等の一定の間隔を置いて更新情報を確認するなど特定ファイルを参照する条件が設定されるために、クライアント端末からのアクセスログ等を記録することが可能となり、このログデータからクライアント端末との接続状況を確認して、マーケッティング等に活用することができる。
【００１５】
また、第一の発明は、コンピュータに、通信ネットワークを通じて第二の格納装置から取得した表示用コンテンツデータを格納するステップと、前記表示用コンテンツファイルを表示するステップと、を実行させるステップを有することを特徴とすることもできる。前記コンテンツデータの表示は継続して行われることを特徴としてもよい。
【００１６】
ここで用いられる表示用コンテンツデータは、更新情報の通知を受けるために特定のＷＷＷサーバ等との接続が維持されている場合に、接続中のクライアント端末に表示するために用いられる画像データ等である。この構成では、表示用コンテンツデータはクライアント端末にインストールされ、接続が維持されて更新確認が継続的に行われている間は、クライアント端末に広告宣伝等の目的で表示することができる。
【００１７】
さらに、第一の発明は、コンピュータに、通信ネットワークを通じて第二の格納装置から表示用コンテンツデータを受信するステップと、前記表示用コンテンツデータを表示するステップと、を実行させるステップを有することを特徴とすることもできる。前記コンテンツデータの表示は継続して行われることを特徴としてもよい。
【００１８】
この構成も上記の場合と同様に、接続中のクライアント端末に表示するために画像データ等が用いられるが、表示用コンテンツデータはＷＷＷサーバ等の格納装置からクライアント端末にリアルタイムで配信される。このような表示用コンテンツを、接続が維持されて更新確認が継続的に行われている場合には、クライアント端末に広告宣伝等の目的で表示することができることも、上記の場合と同様である。
【００１９】
前記参照情報及び前記新たな参照情報は、前記特定ファイルの作成時刻であることを特徴とすることもできる。前記参照情報及び前記新たな参照情報は、前記特定ファイルのファイルサイズであることを特徴としてもよい。前記参照情報及び前記新たな参照情報は、前記特定ファイルのソースコードの少なくとも一部を含んでおり、前記新たな参照情報を前記端末装置に格納された参照情報と対比するステップにおいては前記ソースコードに含まれるキーワードを対比することを特徴としてもよい。
【００２０】
クライアント端末側で特定ファイルの更新の有無をなるべく少ないデータ量で確認するためには、このように特定ファイルの作成時刻や特定ファイルのファイルサイズの変化を確認することが効果的である。また、キーワードを設定してその変化から更新の有無を確認してもよい。
【００２１】
上記の課題を解決するための第二の発明は、通信ネットワークを通じて請求項１記載のプログラムをクライアント端末に送信する手段と、前記クライアント端末において指定された特定ファイルを格納する手段と、通信ネットワークを通じて前記特定ファイルが更新されたことを通知する通知情報を表示するためのプログラムを前記クライアント端末に送信する手段と、を備えることを特徴とする更新情報通知システムである。前記クライアント端末から前記特定ファイルへのアクセス情報を記録する手段を備えることを特徴としてもよい。
【００２２】
この発明は、第一の発明にかかるクライアント端末プログラムを利用するために、このプログラムや更新通知を表示するためのクライアント端末へのダウンロード機能等を備えた情報提供者側のシステムとして構成することができる。また、クライアント端末からの接続状況をマーケッティング等に活用できるように、アクセスログ等を記録するよう構成してもよい。この発明により、情報提供者は利用者に関するマーケッティングデータを収集しながら、最新情報をクライアント端末に通知して顧客サービスの向上を図ることができる。
【００２３】
また、第二の発明は、通信ネットワークを通じて請求項２乃至４いずれかに記載のプログラムをクライアント端末に送信する手段と、前記クライアント端末において指定された特定ファイルを格納する手段と、通信ネットワークを通じて前記特定ファイルが更新されたことを通知する通知情報を表示するためのプログラムを前記クライアント端末に送信する手段と、通信ネットワークを通じて前記クライアント端末に表示する表示用コンテンツデータを前記クライアント端末に送信する手段と、を備えることを特徴とする更新情報通知システムである。前記クライアント端末から前記特定ファイルへのアクセス情報を記録する手段を備えることを特徴としてもよい。
【００２４】
この構成においては、情報提供者側のシステムから継続的なクライアント端末表示用のコンテンツデータが送信されるため、上記のように接続状態を確認するとともに、利用者が興味を持つコンテンツに対する広告宣伝として表示用コンテンツを活用することもできる。
【００２５】
【発明の実施の形態】
本発明の実施の形態について、図面を用いて以下に詳細に説明する。図１は、本発明にかかるクライアント端末用プログラム及び更新情報通知システムの利用形態を示すブロック図である。図２は、本発明にかかる更新情報通知システムを含む情報配信システムの構成の一例を示すブロック図である。図３は、本発明にかかる更新情報通知のためのクライアント端末用プログラムによるデータの送受信のフローを示す図である。図４、図５は、本発明にかかる更新情報通知のためのクライアント端末用プログラムのそれぞれ第一、第二のフローチャートである。
【００２６】
本発明にかかるクライアント端末用プログラム及び更新情報通知システムの利用形態を、図１を用いて説明する。図１において、クライアント端末１０には本発明にかかるクライアント端末用プログラムが格納されており、クライアント端末１０はインターネットに接続されていて、ＷＷＷサーバ２０、３０、４０それぞれに含まれるＷｅｂページを閲覧することができる。クライアント端末用プログラムは、情報提供者がＣＤ−ＲＯＭ等の媒体に格納して利用者に配布してもよいし、ＷＷＷサーバからクライアント端末１０にダウンロードするよう構成してもよい。
【００２７】
クライアント端末１０では、更新情報を取得したいＷｅｂページについて、該当するＷｅｂページのＵＲＬと、更新情報を取得する条件をクライアント端末用プログラムにおいて設定する。更新情報を取得する条件には、例えば１０分毎や１時間毎といった一定の間隔を設定することが一般的であるが、コンピュータに電源を入れるときやブラウザを立ち上げるときなどのタイミングを設定してもよい。
【００２８】
クライアント端末用プログラムに設定されるＵＲＬは、単一のＵＲＬを設定してもよいし、複数のＵＲＬを設定してもよい。複数の指定を行った場合には、図１のようにＷＷＷサーバ２０、３０、４０それぞれ指定されたＷｅｂページに指定された条件に従ってアクセスし、更新情報の確認に必要なデータを取得する。ＵＲＬの設定は、クライアント端末１０側で利用者が選択して設定するよう構成してもよいが、クライアント端末用プログラムに情報提供者が予め自己に関連するＵＲＬの設定を行っておけば、情報提供者のプロモーションツールとして利用することもできる。
【００２９】
更新情報の確認には、Ｗｅｂページを表示するファイルの作成時刻、ファイルサイズ、ソースコードに含まれるキーワード等を用いることができる。更新情報の取得前に参照したファイルの作成時刻、ファイルサイズ、ソースコードに含まれるキーワード等をクライアント端末１０で記録しておき、ＷＷＷサーバ２０、３０、４０から取得した新たなファイルの作成時刻、ファイルサイズ、ソースコードに含まれるキーワード等と対比することにより、これらのデータが変化していたらファイルが更新されたものと判断して、クライアント端末１０上に更新情報を通知するための表示を行えばよい。
【００３０】
次に、図２を用いて、本発明にかかる更新情報通知システムと併せて、情報提供者がプロモーション用に広告画像等をクライアント端末１０に配信する場合の情報配信システムの構成について説明する。図２において、情報提供者が設ける情報配信システム５０には、Ｗｅｂページに表示する情報を配信するためのＷｅｂページ用ＷＷＷサーバ５１、クライアント端末１０に継続的に表示するコンテンツを配信するための表示コンテンツ用ＷＷＷサーバ５２及びアクセスログ記録装置５３が備えられている。
【００３１】
クライアント端末１０が指定された条件に従ってＷｅｂページ用ＷＷＷサーバ５１から更新情報を取得する点は上記の場合と同様であるが、この構成においては、表示コンテンツ用ＷＷＷサーバ５２からクライアント端末１０に継続的に表示するコンテンツデータが配信される。コンテンツデータは動画、静止画、文字などどのような形式で表示されるものでもよく、ファイル形式は限定されない。
【００３２】
配信されたコンテンツデータは、クライアント端末１０においてアプリケーションウィンドウで継続的に表示することにより、情報提供者のプロモーション用ツールとして利用することができる。クライアント端末１０がＷｅｂページ用ＷＷＷサーバ５１からの更新情報を取得した場合には、上記のアプリケーションウィンドウに更新を通知するための画面を表示コンテンツの間に挿入して表示してもよいし、上記とは別のアプリケーションウィンドウを立ち上げて更新を通知してもよい。
【００３３】
コンテンツデータの配信は、表示コンテンツ用ＷＷＷサーバ５２からクライアント端末１０にストリーミング形式で配信してもよいし、表示コンテンツ用ＷＷＷサーバ５２からクライアント端末１０にダウンロードするよう構成してもよい。ダウンロードの場合には、Ｗｅｂページ用ＷＷＷサーバ５１と同様の更新方式により、表示コンテンツ用ＷＷＷサーバ５２のコンテンツデータが更新された場合には、新たなコンテンツデータをダウンロードするよう構成すれば、利用者に最新のプロモーション情報を提供することも可能になる。
【００３４】
尚、図２においては、Ｗｅｂページ用ＷＷＷサーバ５１と表示コンテンツ用ＷＷＷサーバ５２を独立のサーバとして説明したが、物理的なシステム構成上は、同一のハードウェアに双方の機能を備えるものであってもよい。
【００３５】
アクセスログ記録装置５３には、クライアント端末１０からＷｅｂページ用ＷＷＷサーバ５１への更新情報取得のためのアクセス情報が記録される。このアクセス情報から利用者別の接続状況を把握することにより、利用者の嗜好や行動パターン等を分析してマーケッティング情報として活用することもできる。従来のアクセスログの取得方法によっては、アクセス件数のみを分析することしかできなかったが、クライアントからの継続的な問合せの状況を記録することにより、アクセスしたＷｅｂページに対してどの程度更新状況を要求する接続状態が継続しているかを把握することができる。
【００３６】
次に、図３を用いて、本発明にかかる更新情報通知のためのクライアント端末用プログラムによるデータの送受信のフローについて説明する。ここでＷＷＷサーバ２０には、Ｗｅｂページ表示機能と表示コンテンツファイル送信機能の双方の機能が備えられているものとする。
【００３７】
まず、ＷＷＷサーバ２０に含まれるプロモーション用画像等の表示コンテンツファイル２１が、クライアント端末１０にダウンロードされる。ダウンロードされた表示コンテンツファイル１１は、クライアント端末１０にアプリケーションウィンドウを立ち上げて繰り返し表示されるが、その間にクライアント端末１０からは、指定された条件に従って更新情報を取得したいＷＷＷサーバ２０の特定ファイル２２に対して最新情報の問い合わせが行われる。
【００３８】
これに対して、ＷＷＷサーバ２０からは特定ファイル２２に関する最新情報を送信して、直近データ記憶部１２に記憶された直近情報との比較が行われる。比較する情報は、例えばファイルの作成時刻、ファイルサイズ等であり、これらの最新情報が直近情報から変化している場合には、特定ファイルが更新されたものとみなして、クライアント端末１０にインストールされている更新通知ファイル１３を表示して、利用者に更新を通知する。更新通知ファイルの表示は、表示コンテンツを表示するアプリケーションウィンドウ上で行ってもよいし、別のアプリケーションウィンドウを立ち上げてもよい。上記の最新情報が直近情報から変化していない場合には、特定ファイルは更新されていないものとみなして、クライアント端末１０には引き続き表示コンテンツファイル１１が繰り返し表示される。
【００３９】
本発明にかかる更新情報通知のためのクライアント端末用プログラムの処理フローについて、図４、図５のフローチャートを用いて説明する。図４のケースでは、まずクライアント端末であるコンピュータを起動すると、アプリケーションウィンドウが立ち上がって、情報提供者のプロモーション情報等の表示コンテンツが表示される（Ｓ０１）。ここで、当該プログラムに設定された間隔に従った時間になったか否かを確認する（Ｓ０２）。設定された時間に至っていない場合には、引き続き表示コンテンツが表示される（Ｓ０１）。
【００４０】
設定された時間に至った場合には、当該プログラムに登録されたＷｅｂページに該当するＷｅｂサーバの指定ファイルにアクセスする（Ｓ０３）。ここで、当該指定ファイルの作成時刻を取得し（Ｓ０４）、前回の問い合わせで取得してクライアント端末に記録された作成時刻を参照して、両者を比較する（Ｓ０５）。取得した作成時刻が記録された作成時刻より後になっているか否かから作成時刻が更新されているか否かを判断する（Ｓ０６）。
【００４１】
作成時刻が更新されていない場合には、Ｗｅｂページも更新されていないものと判断して、引き続き表示コンテンツの表示が繰り返される（Ｓ０１）。作成時刻が更新されている場合は、Ｗｅｂページが更新されたものと判断して、更新を通知するための更新情報をクライアント端末上に表示する（Ｓ０７）。
【００４２】
図５のケースでは、クライアント端末であるコンピュータを起動して、当該プログラムに登録されたＷｅｂページに該当するＷｅｂサーバの指定ファイルにアクセスするまでの処理は、図４のケースと同様である（Ｓ１１〜１３）。
【００４３】
このケースでは、当該指定ファイルのソースコードを取得し（Ｓ１４）、前回の問い合わせで取得してクライアント端末に記録されたソースコードに含まれるキーワードを参照して、両者を比較する（Ｓ１５）。取得したソースコードについて、予め記録されたキーワードの個数や位置等の変化から、Ｗｅｂページを表示するためのファイルが更新されているか否かを判断する（Ｓ１６）。
【００４４】
キーワードの個数や位置等が変化していない場合には、Ｗｅｂページも更新されていないものと判断して、引き続き表示コンテンツの表示が繰り返される（Ｓ１１）。キーワードの個数や位置等が変化している場合は、Ｗｅｂページが更新されたものと判断して、更新を通知するための更新情報をクライアント端末上に表示する（Ｓ１７）。
【００４５】
【発明の効果】
この発明により、クライアント端末側の利用者にとっては、Ｗｅｂページ等の更新情報をいち早く取得することができる。更新情報の取得に際しては、不要な情報の送受信が排除されているため、クライアント端末の演算処理の負荷を軽減することができる。
【００４６】
また、ＷＷＷサーバ等の側の情報提供者にとっては、利用者の希望に応じて更新情報の確実な通知を可能にするとともに、更新情報の送信にかかる通信ネットワーク等への負荷を軽減することもできる。クライアント端末からの定期的な問い合わせを受けることにより接続状況を把握することも可能なため、アクセスログ等をマーケッティング情報として活用することも可能になる。
【図面の簡単な説明】
【図１】本発明にかかるクライアント端末用プログラム及び更新情報通知システムの利用形態を示すブロック図である。
【図２】本発明にかかる更新情報通知システムを含む情報配信システムの構成の一例を示すブロック図である。
【図３】本発明にかかる更新情報通知のためのクライアント端末用プログラムによるデータの送受信のフローを示す図である。
【図４】本発明にかかる更新情報通知のためのクライアント端末用プログラムの第一のフローチャートである。
【図５】本発明にかかる更新情報通知のためのクライアント端末用プログラムの第二のフローチャートである。
【符号の説明】
１０    クライアント端末
１１    表示コンテンツファイル
１２    直近データ記憶部
１３    更新通知ファイル
２０    ＷＷＷサーバ
２１    表示コンテンツファイル
２２    登録ファイル
３０    ＷＷＷサーバ
４０    ＷＷＷサーバ
５０    ＷＷＷサーバ
５１    Ｗｅｂページ用ＷＷＷサーバ
５２    表示コンテンツ用ＷＷＷサーバ
５３    アクセスログ記録装置
【図１】
2004192053.tif 000003
【図２】
2004192053.tif 000004
【図３】
2004192053.tif 000005
【図４】
2004192053.tif 000006
【図５】
2004192053.tif 000007